(57)【特許請求の範囲】
【請求項１】
抄紙機ドライパートにおいて新旧ドライヤカンバスの取り替え時に使用される抄紙用ドライヤカンバスの誘導具であって、該誘導具が、新たに掛け入れされる新ドライヤカンバス端部に接合される誘導布Ａと、取り外される旧ドライヤカンバス端部に接合される誘導布Ｂとから成り、該誘導布Ａ、該誘導布Ｂのうちどちらか一方の誘導布が、一枚の基布から構成され、その外表面に脱着自在能を有する接合材を具備したシート状誘導布であって、他方の誘導布が、２枚の基布から構成され、その内表面に脱着自在能を有する接合材を具備したワニ口状誘導布であって、該シート状誘導布の外表面の接合材を該ワニ口状誘導布の内表面の接合材により挟み込んだ状態で挟面接合していることを特徴とする抄紙用ドライヤカンバスの誘導具。
【請求項２】
誘導布Ａが広幅のシート状誘導布から構成され、誘導布Ｂが複数枚の長さの異なった小幅のワニ口状誘導布群から構成され、且つ該ワニ口状誘導布の各々が異なった接合角度にて該シート状誘導布と挟面接合していることを特徴とする請求項１記載の抄紙用ドライヤカンバスの誘導具。
【発明の詳細な説明】
【０００１】
【発明の属する技術分野】
本発明は、抄紙機のドライパートにドライヤカンバスを掛入れあるいは取外すときに使用される誘導具に関する。
【０００２】
【従来の技術】
抄紙機のドライパートで使用されるドライヤカンバスの取替は、通常、寿命により取外す場合と、カンバスの洗浄や継手の再加工のため取外す場合の二種類がある。前者の場合は、抄紙機上の取り外されるドライヤカンバス（以下旧ドライヤカンバスという）を継手部の周辺で切離し、その幅方向にある間隔で孔をあけ、その孔に新たに掛入れようとするドライヤカンバス（以下新ドライヤカンバスという）に取付けられている誘導布の紐を通して結び、新旧カンバスを連結してドライヤーを徐動運転しながらカンバスの取替えが行われる。一方後者のカンバスを再使用する場合には、カンバスに孔をあけることが許されないから、旧ドライヤカンバスと新ドライヤカンバスとを連結する方法として、例えば実開平１−１２９２９９号公報記載のように、バンド状織物片の一部端に鳩目孔を設け、リーダー布と紐にて平行に連結する誘導具や、同６１−１７２２００号公報記載のように、内面に針部を有しカンバス端を挟圧するＴ字型クリップと紐にて平行に連結する誘導具が開示されている。このような誘導布や誘導具を使用して新旧の両ドライヤカンバスを連結し、ドライヤーを徐動運転しながら取替えが行われている。
【０００３】
【発明が解決しようとする課題】
しかしながら、従来の上記考案にて開示された誘導具は、いずれも連結用の複数の紐を用いるため、最近の抄紙機の広幅化に伴い、使用する紐本数も増加する傾向となってきている。現状の抄紙用ドライヤカンバスの幅は、約２〜１０ｍであって、例えばカンバス幅約８ｍに対し使用する連結紐は約２０本と多数の紐を結ぶ必要があった。また旧ドライヤカンバスはその長時間のドライパートでの使用によって特に中央部が湾曲変形している場合が多く、その結果継ぎ手部も大きく湾曲しているため、新旧ドライヤカンバスの連結位置調整時において、紐を取り付ける位置によって紐の結び目の位置決め（長さ調整）に困難性が伴う。この複数のそれぞれの紐を結ぶ際には、新カンバスの位置決めをしながらの作業となるためかなりの熟練と手間が必要となってきている。結び方によっては、僅かな紐間の長さの違いから新ドライヤカンバス掛け入れ時にカンバスの変形や皺の発生といったトラブルが発生したり、掛け入れ後においても新ドライヤカンバス端部の継ぎ手部同士が平行に噛み合わないといった問題が生じ、新ドライヤカンバスの位置修正にかえって手間がかかるなどの不都合があった。また、通常使用される紐の線径は約３ｍｍであって、紐の結び目が約１５ｍｍ程度となり、結び方によっては結び目がさらに大きくなり、抄紙機ドライパートのロール間の狭い隙間にて掛け入れの障害となったりする不都合等があった。また、内面に針部を有しカンバス端を直接に挟圧する誘導具は、例えば表面平滑性を重要視するニードルカンバスなどの場合においてはその表面を傷つける恐れもあった。
【０００４】
本発明は、これらの従来の誘導具の問題点を解消し、カンバスの取替え作業が容易に且つ正確にでき、しかも取替えるドライヤカンバスを傷つけることのない新旧ドライヤカンバス取替え用の誘導具を提供するものである。
【０００５】
【課題を解決するための手段】
抄紙機ドライパートにおいて新旧ドライヤカンバスの取り替え時に使用される抄紙用ドライヤカンバスの誘導具であって、該誘導具が、新たに掛け入れされる新ドライヤカンバス端部に接合される誘導布Ａと、取り外される旧ドライヤカンバス端部に接合される誘導布Ｂとから成り、該誘導布Ａ、該誘導布Ｂのうちどちらか一方の誘導布が、一枚の基布から構成され、その外表面に脱着自在能を有する接合材を具備したシート状誘導布であって、他方の誘導布が、２枚の基布から構成され、その内表面に脱着自在能を有する接合材を具備したワニ口状誘導布であって、該シート状誘導布の外表面の接合材を該ワニ口状誘導布の内表面の接合材により挟み込んだ状態で挟面接合していることを特徴とする抄紙用ドライヤカンバスの誘導具であり、誘導布Ａが広幅のシート状誘導布から構成され、誘導布Ｂが複数枚の長さの異なった小幅のワニ口状誘導布群から構成され、且つ該ワニ口状誘導布の各々が異なった接合角度にて該シート状誘導布と挟面接合していることを特徴とする抄紙用ドライヤカンバスの誘導具、を以て上記課題を解決するものである。
【０００６】
誘導布Ａ及び誘導布Ｂは、それぞれ一方端に、接合される新旧ドライヤカンバス端部の接合用ループ又はフックと噛み合い可能なループ又はフックを設け、他方端側において該誘導布Ａと該誘導布Ｂとがそれぞれ上記面に具備された面フアスナー材を介して挟面接合することが好ましい。脱着自在能を有する接合材としては、接合強度に優れた薄物であればよく特に限定するものではないが、面フアスナ材が好ましい。
【０００７】
【発明の実施の形態】
本発明の実施の形態を実施例に基づいて以下に詳細に説明する。尚、本発明が本実施例に限定されるものではない。
【０００８】
図１に本発明に係わる誘導具（５）の平面図を示す。図２に図１におけるＣ−Ｃ断面図を示す。誘導布Ａ（１）及び誘導布Ｂ（２）は、それぞれ基布（３）と面フアスナ材（４）とからなり一体化されている。（ここでいう基布は特に限定するものではないが、引張強力、剛性の高いものが好ましい。通常はカンバス本体と同様の薄手のプラスチック織物を使用するのが好ましい。）各誘導布の一方端は、新ドライヤカンバス（１０）、旧ドライヤカンバス（１１）の端部の継ぎ手部（１２）と同様の継ぎ手構造を有しそれぞれカンバスと接合されている。誘導布Ａは、一枚の基布から構成され、その外表面（上下面）に面フアスナ材が取り付けられた広幅のシート状誘導布（１ａ）から成り、新ドライヤカンバス（１０）継ぎ手部に接合されている。ここでいう広幅とは、カンバスの幅寸法と同等の寸法のものを示すが、抄紙機幅によっては、カンバス幅寸法の１／２、１／３程度に分断されていてもよい。
【０００９】
誘導布Ｂ（２）は、２枚の基布から構成され、一方端が積層縫着され他方端がワニが口を開いたように開放されたワニ口状となっており、その内表面（基布裏面）に面フアスナ材（４）が取り付けられた小幅のワニ口状誘導布（２ｂ）群からなり、この小幅のワニ口状誘導布（２ｂ）が旧ドライヤカンバス（１１）の幅方向に複数枚配置され、同様に旧ドライヤカンバス（１１）継ぎ手部に接合されている。ここでいう小幅とは、２０〜３０ｃｍ程度の幅寸法であり、特に限定するものではないが、接合すべき旧ドライヤカンバス端部が湾曲しているため、広幅のものでは継ぎ手部同士を接合するのが困難であり、小幅とすることで互いの継ぎ手部を接合し易い範囲の寸法幅であればよい。また、旧ドライヤカンバス（１１）の継ぎ手部は上記の通り湾曲しているため、湾曲状態に応じ、長さの異なったワニ口状誘導布（２ｂ）を配置するのが好ましい。（通常はその湾曲程度によって、２０〜１００ｃｍまで約２０ｃｍ毎の長さの異なったワニ口状誘導布を準備しておき、カンバスの湾曲状態に応じた長さのワニ口状誘導布を適宜選択すればよい。）また、本発明では上記湾曲面に沿った状態で各ワニ口状誘導布が接合するため、複数のワニ口誘導布はそれぞれがカンバス長手方向に対し平行に配置されない形となり、これが異なった接合角度を有する挟面接合状態を形成することになる。
【００１０】
取り付けられる面フアスナ材は特に限定されるものではないが、薄くてフレキシブルな面接合力に優れたものであればよい。もちろんシート状誘導布とワニ口状誘導布に取り付けられる各面フアスナ材はどちらか一方が雄材で他方が雌材で構成される。
【００１１】
旧ドライヤカンバス（１１）は図１に示すような中央部が内側に湾曲しており、小幅のワニ口状誘導布（２ｂ）群は、その湾曲ラインに沿って旧ドライヤカンバス（１１）と接合されている。このワニ口状誘導布（２ｂ）が旧ドライヤカンバス（１１）の幅方向に複数枚配置、接合されており、且つそれぞれがシート状誘導布（１ａ）と面フアスナ材によって挟面接合されている。前記した従来の誘導具の場合は連結用の複数の紐を使用するため、紐の長さ調整や結び目の大きさ等、結ぶためのまた結び直すための熟練と手間が要したが、本発明では面フアスナ材を使用するため、ワンタッチで脱着自在であり、接合位置の調整が極めて容易となる。当然紐の結び目のような大きな突起部を形成することもない。さらに重要なことは、誘導具を以て連結される新旧ドライヤカンバス間の自由度の違いである。紐を使用する場合はカンバスの上下、横方向に対して自由な動きをするため、誘導具部における横剛性に劣ったものとなる。その結果、掛け入れする新ドライヤカンバスが横方向にずれないように補佐する必要があったが、本発明による誘導具においては、広幅の誘導布と複数の小幅の誘導布群が直接挟面接合しているため、横方向への自由度が低くなり、結果として掛け入れ時に新ドライヤカンバスを補佐する必要がなくなり、労力の面でも楽に掛け入れ作業を実施可能な誘導具となる。またさらには、本発明においては、旧ドライヤカンバスの湾曲面に沿って複数の小幅の誘導布を接合するため、各小幅の誘導布が平行に位置せず、異なった接合角度を有し、もう一方の誘導布と挟面接合される。この異なった接合角度を有する故に、新旧ドライヤカンバス間の自由度をさらに拘束し、横剛性に優れた誘導具となって、掛け入れ時による新ドライヤカンバスの変形や皺を生ずることなく容易に掛け入れ作業ができ、誘導後の新ドライヤカンバスの端部同士の継ぎ手部の接合作業をも容易にすることができるものとなる。
【００１２】
シート状誘導布（１ａ）をワニ口状誘導布（２ｂ）が挟面（両面）接合しているため、単なる片面の面接合と違い引張強力に優れた接合状態を呈する。このように一方の誘導布を他方の誘導布が上下から挟み込むような格好で面接合している状態を挟面接合と表現するものである。
【００１３】
上記の実施形態においては、誘導布Ｂを複数のワニ口状誘導布とした一例について説明したが、例えば誘導布Ａを２枚の基布から構成し、同様なワニ口状誘導布とし、誘導布Ｂを複数のシート状誘導布としてもよい。
【００１４】
【実施例】
（実施例１）カンバス幅寸法と同等の広幅で、長さ約２０ｃｍ、厚さ約２ｍｍのプラスチック織物の基布（３）の外表面（基布両面）に市販の厚さ約２ｍｍのマジックテープ面フアスナ雄材を縫着し、新ドライヤカンバス（１０）との接合部においては同様の継ぎ手（１２）構造を形成したシート状誘導布（１ａ）から成る誘導布Ａ（１）を準備し、次に幅約３０ｃｍの同様の基布（３）を２枚重ね、一方側を積層縫着接合し、他方側の内表面に同様の市販のマジックテープ面フアスナ雌材を縫着し、旧ドライヤカンバス（１１）との接合部においては同様の継ぎ手（１２）構造を形成し、長さの異なった（ここでは長さ約４０ｃｍを２枚、約６０ｃｍを２枚、約８０ｃｍを１枚）ワニ口状誘導布（２ｂ）を５枚準備し、旧ドライヤカンバス（１１）の幅方向に間隔をあけて、湾曲状態に沿ってそれぞれ継ぎ手部にて接合し、誘導布Ｂ（２）を準備した。準備した誘導布Ａ（１）に準備した各ワニ口状誘導布（２ｂ）を図１に示すようにそれぞれ異なった接合角度にて挟面接合し、挟面接合部（７）の厚さが約１０ｍｍの薄い接合形態を有した誘導布Ａと誘導布Ｂからなる本発明の抄紙用ドライヤカンバスの誘導具（５）を得た。
【００１５】
得られた誘導具を用いて抄紙機ドライパートにおいて新旧ドライヤカンバスの掛け入れ取り外し作業を実施したところ、新ドライヤカンバスが傷つくことなく、変形したり皺がよることもなく容易に且つ正確に作業を実施することができた。掛け入れの際の新旧ドライヤカンバスの位置調整においては、５枚のワニ口状誘導布の面フアスナをワンタッチで脱着しながら容易にその位置調整ができ、作業時間の短縮と多くの手間をかけることなく新ドライヤカンバスを抄紙機ドライパートに正確に誘導することができた。また、誘導後の新ドライヤカンバス端部同士の継ぎ手接合においても支障なく実施できるものであった。
【００１６】
【発明の効果】
本発明の誘導具を用いることにより、新旧ドライヤカンバスの取り替え時において、ドライヤカンバスを傷つけたり、変形や皺を生ずることなく、また狭いロール間にても掛け入れ障害を生ずることなく容易に取り替え作業を実施できるものとなる。また新ドライヤカンバスの位置決め調整の際にも、ワンタッチで脱着自在であり容易に位置調整可能となる。さらに新旧ドライヤカンバス間での自由度を拘束し、横剛性の高い誘導具となり、誘導後における新ドライヤカンバス端部同士の継ぎ手接合作業も容易になる。
【図面の簡単な説明】
【図１】  本発明に係わる誘導具の一形態を示す平面図である。
【図２】  本発明に係わる誘導具の一形態を示すＣ−Ｃ断面図である。
【符号の説明】
１    誘導布Ａ
１ａ  シート状誘導布
２    誘導布Ｂ
２ｂ  ワニ口状誘導布
３    基布
４    面フアスナ材
５    誘導具
６    接合角度
７    挟面接合部
１０    新ドライヤカンバス
１１    旧ドライヤカンバス
１２    継ぎ手部
【図１】
0003864019.tif 000002
【図２】
0003864019.tif 000003